(57)【要約】【課題】  製品や基板の大型化を防止してコストダウンを図ることができるコネクタ及び電子機器を提供すること。【解決手段】  コネクタ２０は、下基板１２及び上基板１３が上下に二段に配置されている電子機器１０に使用可能であり、下基板１２には上向きに突設されたピン２２を有する雄型コネクタ２１が取り付けられている。ピン２２は、上基板１３を貫通して上側に突出しており、突出したピン２２に雌型コネクタ２３が嵌合する。このため、上基板１３において雌型コネクタ２３をピン２２に接続することにより、下基板１２に雌型コネクタ２３を接続することなく雄型コネクタ２１に接続できるので、下基板１２にコネクタ２０用のスペースを設ける必要がなくなる。これにより、基板の大型化を防止してコストダウンを図ることができる。【選択図】  図１
2015162303.tif 000002
【特許請求の範囲】
【請求項１】
下基板及び上基板が上下に配置される電子機器に使用するコネクタであって、
前記下基板に取り付けられ上向きに突設されたピンを有する雄型コネクタと、
前記ピンに嵌合する雌型コネクタと、を備え、
前記ピンは前記上基板を貫通して前記上基板から突出する長さを有し、
前記雌型コネクタが、前記上基板から突出した前記ピンに差し込まれることを特徴とするコネクタ。
【請求項２】
前記雌型コネクタが、前記上基板に着脱自在に固定するための係止突起を有することを特徴とする請求項１に記載のコネクタ。
【請求項３】
下基板及び上基板が上下に配置された電子機器であって、
請求項１又は請求項２に記載のコネクタを用いたことを特徴とする電子機器。
【発明の詳細な説明】
【技術分野】
【０００１】
本発明は、基板の実装面に対して直交する方向に設けられるコネクタ及びこのコネクタを用いた電子機器に関する。
【背景技術】
【０００２】
従来、基板の実装面に対して直交する方向に取り付けるコネクタが知られている（例えば、特許文献１参照）。
図２に示すように、特許文献１では、基板１００の実装面１０１に直交するように、上向きに雄型コネクタ１０２が取り付けられており、雄型コネクタ１０２には電線１０３が接続された雌型コネクタ１０４が嵌合される。
雄型コネクタ１０２及び雌型コネクタ１０４は、嵌合された状態でコネクタカバー１０５により覆われる。
【先行技術文献】
【特許文献】
【０００３】
【特許文献１】特開２００８−２７７１０８号公報（第２図）
【発明の概要】
【発明が解決しようとする課題】
【０００４】
ところで、図３に示すように、電子機器１１０等において、支持部材１１３により二段に配置されている上基板１１１及び下基板１１２の二枚の基板を用いる場合がある。
このような構造で、下基板１１２を電源基板として用いる場合において、上基板１１１に電源コネクタ１１４を接続すると、下基板１１２に電力を供給するために電源コネクタ１１４と同程度の大きさを有する接続コネクタ１１５が必要となる。
このため、接続コネクタ１１５により下基板１１２の面積が占有されるので、基板の部品を配置するスペースが減り、基板を大型化する必要があるのでコストアップを招くという問題があった。また、電源コネクタ１１４及び接続コネクタ１１５が必要であり、部品点数が多いことによるコストアップの問題もある。
【０００５】
また、上記の例において、部品点数を減らすために、図４（Ａ）及び（Ｂ）に示すように、電源コネクタ１１４を直接下基板１１２に接続するようにすることも考えられる。しかしながら、電源コネクタ１１４を着脱する際に指を入れるスペースＳが必要となり、下基板１１２だけでなく上基板１１１の部品を配置するスペースが減るとともに、基板の加工費が上昇しコストアップを招くという問題がある。また、筐体を含めた製品のサイズの大型化及びコストアップを招くという問題もある。
【０００６】
本発明は、従来の問題を解決するためになされたもので、製品や基板の大型化を防止してコストダウンを図ることができるコネクタ及び電子機器を提供することを目的とする。
【課題を解決するための手段】
【０００７】
（１）本願発明に係る１つの態様は、
下基板及び上基板が上下に配置される電子機器に使用するコネクタであって、
前記下基板に取り付けられ上向きに突設されたピンを有する雄型コネクタと、
前記ピンに嵌合する雌型コネクタと、を備え、
前記ピンは前記上基板を貫通して前記上基板から突出する長さを有し、
前記雌型コネクタが、前記上基板から突出した前記ピンに差し込まれる。
【０００８】
（２）上記（１）に記載のコネクタにおいて、
前記雌型コネクタが、前記上基板に着脱自在に固定するための、係止突起を有するものであってもよい。
【０００９】
（３）さらに、本願発明に係るもう１つの態様は、
下基板及び上基板が上下に配置された電子機器であって、
上記（１）又は（２）に記載のコネクタを用いた電子機器を提供する。
【発明の効果】
【００１０】
本発明によれば、製品や基板の大型化を防止してコストダウンを図ることができるコネクタ及び電子機器を提供することができる。
【図面の簡単な説明】
【００１１】
【図１】本発明に係る実施形態のコネクタ及び電子機器の斜視図である。
【図２】従来のコネクタの斜視図である。
【図３】従来の二段の基板を有する電子機器における問題点を示す断面図である。
【図４】（Ａ）従来の二段の基板を有する別の電子機器における問題点を示す断面図であり、（Ｂ）は平面図である。
【発明を実施するための形態】
【００１２】
以下、本発明に係る実施形態のコネクタ及び電子機器について、図面を用いて説明する。
図１に示すように、本発明に係る実施形態の電子機器１０は、例えば矩形箱状の筐体１１を有しており、筐体１１の内部に下基板１２と上基板１３が、所定間隔で上下二段に配置されている。
【００１３】
下基板１２の実装面１２ａには、コネクタ２０を構成する雄型コネクタ２１が、２本のピン２２を上方に向けて突出するように取り付けられている。なお、ピン２２の本数及び列数等は任意である。
上基板１３には、下基板１２のピン２２が貫通する例えば円形のピン孔１４が、ピン２２の数及び位置に対応して設けられている。また、ピン孔１４を挟んで前後両側には、開口部１５，１６が設けられている。
【００１４】
一方の開口部１５は、複数のピン２２の配置方向（すなわち、上基板１３の幅方向）に全てのピン２２を含む長さを有する矩形状の開口である。また、他方の開口部１６は、上基板１３の幅方向に沿って配置された２個の矩形状の開口を有する。
なお、開口部１６は２個に分割した場合に限らず、開口部１５と同様に１個でもよい。
【００１５】
ピン２２の上端部はピン孔１４から上基板１３の上側に突出しており、この部分にコネクタ２０を構成する雌型コネクタ２３が取り付けられる。
雌型コネクタ２３は、直方体形状をした本体部２３ａを有する。本体部２３ａの下面には、ピン２２が挿入される開口（図示省略）が設けられており、本体部２３ａの内部にはピン２２が差し込まれて電気的に接続される端子（図示省略）を有する。端子には電線２４が接続されており、雌型コネクタ２３の上面から外側に配線される。
【００１６】
雌型コネクタ２３の本体部２３ａの前側には、本体部２３ａの底面２３ｂよりも下方まで突出する係止突起２５が設けられており、係止突起２５の下部には係止爪２５ａが設けられている。係止爪２５ａには、下方に向かって尖るよう傾斜面２５ｂが設けられている。係止突起２５の上下方向中央部は、支持部２５ｃを介して本体部２３ａの前面に取り付けられており、係止突起２５は矢印Ａ方向に湾曲可能な構造となっている。
また、本体部２３ａの後部には、本体部２３ａの底面２３ｂよりも下方に突出する位置決め突起２６を有する。位置決め突起２６は、上基板１３の開口部１６に対応して２個設けられている。尚、位置決め突起２６は必ずしも必要ではなく、係止突起２５が位置決めの機能を兼ねる形でもよい。
【００１７】
雌型コネクタ２３を雄型コネクタ２１と接合させる際には、雌型コネクタ２３の下面に設けられている開口を、上基板１３から上方に突出しているピン２２の上端に挿入する。同時に、雌型コネクタ２３の位置決め突起２６を上基板１３の開口部１６に挿入して位置決めするとともに、係止突起２５を上基板１３の開口部１５に位置決めする。
そして、雌型コネクタ２３を下方へ押し込むことにより、係止突起２５の傾斜面２５ｂが開口部１５の内面に沿って湾曲しながら下降する。そして、係止爪２５ａが上基板１３の下側に達したら、係止突起２５が支持部２５ｃの弾性力により湾曲して、係止爪２５ａが上基板１３の下面を係止する。
これにより、雌型コネクタ２３の抜けを防止する。
【００１８】
次に、本発明のコネクタ２０の作用効果について説明する。
本発明のコネクタ２０は、下基板１２及び上基板１３が上下に二段に配置されている電子機器１０に使用可能である。
下基板１２には上向きに突設されたピン２２を有する雄型コネクタ２１が取り付けられている。ピン２２は、上基板１３を貫通して上側に突出しており、上基板１３から突出したピン２２に雌型コネクタ２３の底面２３ｂに設けられた開口が差し込まれる。
このため、上基板１３において雌型コネクタ２３をピン２２に接続することにより、下基板１２に雌型コネクタ２３を接続することなく雄型コネクタ２１に接続できるので、下基板１２にコネクタ２０用のスペースが必要がなくなる。
これにより、基板の部品の実装面積の減少、及び、基板の大型化を防止してコストダウンを図ることができる。
【００１９】
また、雌型コネクタ２３は、上基板１３においてピン２２の両側に設けられている開口部１５，１６に着脱自在に固定するための、位置決め突起２６と係止突起２５を有しており、それらを開口部１５，１６に挿入するようにするだけで、簡単に、雌型コネクタ２３が雄型コネクタ２１から抜けない様に固定することができる。
【００２０】
次に、本発明の電子機器１０の作用効果について説明する。
本発明の電子機器１０では、前述したコネクタ２０を用いているので、上下二段の基板を有する場合に電子機器１０の大型化を防止するとともに、コネクタが１つでよいので部品点数が少なくコストダウンを図ることができる。
【００２１】
本発明のコネクタは、前述した実施形態に限定されるものでなく、適宜な変形，改良等が可能である。
【符号の説明】
【００２２】
１０  電子機器
１２  下基板
１３  上基板
１５，１６  開口部
２０  コネクタ
２１  雄型コネクタ
２２  ピン
２３  雌型コネクタ
２５  係止突起
【図１】
2015162303.tif 000003
【図２】
2015162303.tif 000004
【図３】
2015162303.tif 000005
【図４】
2015162303.tif 000006